(57)【要約】【課題】魚類が衝突したり引っ掛かったり難く、衝突しても損傷を抑えることができる生簀を提供する。【解決手段】海洋に配置される生簀１は、遊泳する魚類を囲う本体部１１が側壁部１２と底部１３とから構成されている。円筒形状の側壁部１２と、円形状の底部１３とが、軟質で非透水性を有するシートから形成されている。本体部１１に養殖水が満たされることで、側壁部１２および底部１３は張られた状態となる。また、本体部１１には、養殖水を供給するポンプ１７が、給水口１６を介して本体部１１の側壁部１２に接続されている。ポンプ１７により養殖水が供給されることで、本体部１１に一定の内圧が付与される。従って、軟質シートにより形成された本体部１１であっても、一定の形状を維持することができる。また、本体部１１が軟質なシートであるため、魚類が衝突しても、本体部１１によって衝撃が吸収されるため、魚類の損傷を最小限に抑えることできる。【選択図】  図１
2017169452.tif 000002
【特許請求の範囲】
【請求項１】
遊泳する魚類を囲う本体部が側壁部と底部とから構成され、少なくとも前記側壁部がシートからなり、前記シートの張力を調整する張力調整手段を備えた生簀。
【請求項２】
前記シートは非透水性シートである請求項１記載の生簀。
【請求項３】
前記張力調整手段は、前記本体部の養殖水により内圧を調整する内圧調整手段、または前記側壁部の深さ方向の長さを調整する長さ調整手段である請求項１または２記載の生簀。
【請求項４】
前記内圧調整手段は、前記本体部への養殖水の供給量と、前記本体部からの養殖水の排水量とにより内圧を調整するものである請求項３記載の生簀。
【請求項５】
前記内圧調整手段は、前記本体部へ養殖水を吐出する給水口を有し、前記給水口が前記側壁部の内側面に沿うように向いている請求項４記載の生簀。
【請求項６】
前記内圧調整手段は、前記本体部からの養殖水を排出ための排出口と、前記排出口から海上まで延びるホースとを有する請求項４または５記載の生簀。
【請求項７】
前記内圧調整手段は、前記本体部からの養殖水を排出ための排出口と、前記排出口の口径を小さい口径に変換する変換部材とを有する請求項４から６のいずれかの項に記載の生簀。
【請求項８】
前記側壁部は円筒状であり、前記底部は円形である請求項１から７のいずれかの項に記載の生簀。
【請求項９】
前記本体部には、分割手段が配置されている請求項１から８のいずれかの項に記載の生簀。
【発明の詳細な説明】
【技術分野】
【０００１】
本発明は、海洋や湖、河川などで魚類を養殖するための生簀に関するものである。
【背景技術】
【０００２】
例えば、海洋で魚類を養殖するときには、海洋を区画した生簀が使用される。生簀は、網により形成されることがある。
例えば、特許文献１に記載の生簀は、金属製の外網体内に合成繊維製の内網体が収容されたものである。この生簀によれば、金属製の剛直な外網体の剛性が柔軟な内網体を支え、内網体が海流などの影響により変形することがなく、また、外網体内に柔軟な合成繊維製の内網体を収容し、その外網体と内網体との間に間隔をおいているので、金属製の網に衝突することがなく、魚類に傷が付いたり斃死したりすることがないとされている。
【０００３】
また、生簀をシートにより形成したものとして、特許文献２に記載されたものが知られている。
特許文献２に記載の水中生物育成装置は、浮力を有する剛性材料で構成された浮力枠体と、この枠体から水中に吊り下げられた筒状の隔離シートと、該シートを水中で形態保持する剛性材料で構成された水中枠体とで構成されており、かつ該隔離シートが、非通水性であるか、または、通水性を有するが、汚泥、原生動物、鞭毛藻類および珪藻類は通過しない機能を有するものである。
【先行技術文献】
【特許文献】
【０００４】
【特許文献１】特開２０１５−１７３６２７号公報
【特許文献２】特開平７−８１３９号公報
【発明の概要】
【発明が解決しようとする課題】
【０００５】
特許文献１に記載の生簀は、内網体が海流などの影響に受けないため、内網体の変形による魚類へのストレスを軽減するものと思われる。しかし、特許文献１に記載の生簀では、柔軟な合成繊維製の内網体により、魚類が内網体に衝突しても魚類に傷が付いたり斃死したりすることがないかもしれないが、口が内網体に引っ掛り、いわゆる口割れを起こすおそれがある。
【０００６】
特許文献２に記載の水中生物育成装置は、網も代わりに隔離シートが用いられており、口が隔離シートに引っ掛かることが無いため、口割れの発生を抑止できるものと思われる。しかし、特許文献２に記載の水中生物育成装置では、剛性材料で構成された水中枠体により隔離シートを水中で形態保持しているため、水中枠体により隔離シートは一定の強さで張られた状態であり、特に、水中枠体により固定された位置に近い部分では特に強い張力が生じるため、ここに魚類が衝突すると損傷が大きくなることが想定される。
【０００７】
従って、生簀には、魚類が衝突したり引っ掛かったり難く、衝突しても損傷を抑えることができることが求められている。
【０００８】
そこで本発明は、魚類が衝突したり引っ掛かったり難く、衝突しても損傷を抑えることができる生簀を提供することを目的とする。
【課題を解決するための手段】
【０００９】
本発明の生簀は、遊泳する魚類を囲う本体部が側壁部と底部とから構成され、少なくとも前記側壁部がシートからなり、前記シートの張力を調整する張力調整手段を備えたことを特徴とする。
【００１０】
本発明の生簀によれば、張力調整手段を備えているため、養殖水が貯留されていなければ形状が維持できない生簀であっても、シートを張った状態とすることにより、側壁部の形状を一定の形状に維持することができる。従って、波や風などによる側壁部の変形を抑止することができるため、急な変形による魚類の衝突を回避できる。また、魚類が側壁部に衝突したとしても、側壁部がシートにより形成され、保型のための枠体などを使用していない。従って、シートによって衝撃を吸収することができる。ここで、養殖水とは、養殖される魚類が育成できる水であり、本発明の生簀が設置される場所の周囲の水としたり、海水魚であれば塩水、淡水魚であれば塩分を含まない水としたりすることができる。
【００１１】
養殖対象となる魚類として、例えば、ブリ、ハマチに例示されるブリ類、カンパチ、ヒラマサに例示されるカンパチ類、シマアジ類、マダイ、チダイ、ヘダイに例示されるタイ類、クロマグロ、タイセイヨウクロマグロ、ミナミマグロ、キハダ、メバチ、ビンナガ、コシナガ、タイセイヨウマグロ、カツオ、スマ、ヒラソウダ、マルソウダに例示されるマグロ類、マサバ、ゴマサバに例示されるサバ類、ハガツオ、イソマグロに例示されるハガツオ類、サワラ、カマスサワラに例示されるサワラ類、サケ、マスに例示されるサケマス類、ヒラメ、カレイ、ウシノシタに例示されるカレイ類等が挙げられる。
養殖対象としてサバ科魚類が含まれる。サバ科魚類とは、スズキ目サバ亜科サバ科に分類される魚をいう。サバ科魚類にはハガツオ族、サワラ族、サバ族、マグロ族が含まれる。ハガツオ族にはイソマグロ属、ハガツオ属が含まれ、サワラ族にはカマスサワラ属、ニジョウサバ属、サワラ属が含まれ、サバ族にはグルクマ属、サバ属が含まれ、マグロ族にはソウダガツオ属、スマ属、カツオ属、マグロ属が含まれる。イソマグロ属にはイソマグロが、ハガツオ属にはハガツオが、カマスサワラ属にはカマスサワラが、サワラ属にはサワラが、サバ属にはマサバ、ゴマサバが、ソウダガツオ属にはヒラソウダ、マルソウダが、スマ属にはスマが、カツオ属にはカツオが、マグロ属にはクロマグロ、タイセイヨウクロマグロ、ミナミマグロ、キハダ、メバチ、ビンナガ、コシナガ、タイセイヨウマグロが含まれる。サバ科魚類の中でもマグロ属の仔魚や稚魚、幼魚などの小型魚はストレスに弱いため、本発明の対象のひとつである。
【００１２】
シートは、軟質シートとすることができる。ここで、軟質シートとは、養殖水を満たしていなければ自重により形状を保つことができず、水中で魚類が衝突しても、衝撃を変形により吸収する程度のことを示す。
【００１３】
前記シートは非透水性からなるものとすることができる。シートが非透水性であれば、シートに内圧を掛け、シートの張力を調整しても、養殖水が透水しないため、内圧を抑えることができる。
【００１４】
前記張力調整手段が、前記本体部の養殖水により内圧を調整する内圧調整手段、または前記側壁部の深さ方向の長さを調整する長さ調整手段とすることができる。内圧調整手段が本体部の養殖水により内圧を調整することで、内圧が側壁部を張った状態とすることができるので、内圧調整手段を張力調整手段として機能させることができる。また、長さ調整手段が側壁部の深さ方向の長さを調整することで、側壁部の自重により、側壁部を張った状態とすることができるので、長さ調整手段を張力調整手段として機能させることができる。
【００１５】
前記内圧調整手段を、前記本体部への養殖水の供給量と、前記本体部からの養殖水の排水量とにより内圧を調整するものとすることができる。本体部への養殖水の供給量を本体部から排出される排水量より多くすれば本体部の張力が高められ、供給量と排水量とを同じにすれば本体部の張力が維持でき、また、本体部への養殖水の供給量を本体部から排出される排水量より少なくすれば本体部の張力を弱めることができる。
【００１６】
前記内圧調整手段は前記本体部へ養殖水を吐出する給水口を有し、前記給水口を前記側壁部の内側面に沿うように向けることができる。そうすることで、側壁部の内側面に沿った水流が発生させることができるため、魚類をその流れに沿って遊泳させることができるので、魚類が側壁部に衝突することを回避することができる。マグロの仔魚や稚魚、幼魚などの小型魚は、流れに逆らって遊泳するため、側壁部の内側面に沿った水流が発生すると、側壁部の内側面に沿って回遊し始める。従って、マグロの小型魚は、一定の方向に揃って回遊するため、マグロ同士の衝突が発生し難い。よって、本発明の生簀は、マグロの小型魚の養殖には最適である。
【００１７】
前記内圧調整手段を、前記本体部からの養殖水を排出ための排出口と、前記排出口から海上まで延びるホースとを有するものとすることができる。また、前記内圧調整手段を、前記本体部からの養殖水を排出ための排出口と、前記排出口の口径を小さい口径に変換する変換部材とを有するものとすることもできる。
【００１８】
前記側壁部が円筒状であり、前記底部が円形とすることができる。魚類が側壁部の内周面に沿って円を描くように遊泳することができるため、障害が無い状態で遊泳することができる。
【００１９】
前記本体部には、分割手段を配置することができる。本体部が分割できることにより、一つ一つを小さくすることができるため、運搬や収納が容易である。
【発明の効果】
【００２０】
本発明の生簀によれば、波や風などによる本体部の変形に起因する魚類同士の衝突を回避できると共に、生簀への衝突の際には衝撃が吸収されるため、魚類が衝突したり引っ掛かったり難く、衝突しても損傷を抑えることができる。
【図面の簡単な説明】
【００２１】
【図１】本発明の実施の形態１に係る生簀を示す斜視図である。
【図２】本発明の実施の形態２に係る生簀を示す斜視図である。
【発明を実施するための形態】
【００２２】
（実施の形態１）
本発明の実施の形態１に係る生簀を図面に基づいて説明する。
図１に示すように、生簀１は、海洋に浮かべ、魚類を遊泳させて養殖する養殖槽である。魚類は、生簀１の大きさを適宜、変更すれば、稚魚から成魚でも、養殖が可能である。
【００２３】
生簀１は、遊泳する魚類を囲う本体部１１が側壁部１２と底部１３とから構成されている。本実施の形態１では、この側壁部１２と底部１３との両方を、非透水性を有するシートとしている。魚体重が１ｇから１００ｇ程度の稚魚から幼魚までの魚類を養殖するのであれば、側壁部１２の直径は１ｍから３０ｍとすることができる。また、魚体重１００ｇから１０ｋｇ程度の若魚を含む魚類を養殖するのであれば、側壁部１２の直径は１０ｍより大きくする方がよい。
【００２４】
軟質シートが繊維を編んで形成されたものであれば非透水加工されたシートが使用できる。また、軟質シートが、フィルム状のものであれば表面加工をせずに使用できる。例えば、軟質シートは、ポリエステルなどの合成繊維や、フィルム状の合成樹脂、綿などの天然繊維などが使用できる。合成樹脂は、ポリオレフィン系樹脂、酢酸ビニル系樹脂、ポリエステル系樹脂、ポリ塩化ビニル樹脂、アクリル樹脂、ポリ塩化ビニリデン、ポリエチレンテレフタレート樹脂、ポリカーボネート樹脂、メチルメタアクリレート系樹脂及びポリアミド樹脂などとすることができる。
これらのシートのいずれかで、側壁部１２と底部１３を形成することにより、側壁部１２と底部１３とは、コンクリート製の生簀や、金属製の金網による生簀と比較して柔軟性があり、着色することで不透明性も有する。
【００２５】
側壁部１２は、円筒形状に形成されている。底部１３は円形状に形成されている。側壁部１２と底部１３とは、側壁部１２の下端部１２ａと底部１３の外周部１３ａとが、溶着、縫合、圧着、接着などにより連続的に接続されている。
側壁部１２と底部１３とは、円周方向を分割する分割手段としてファスナー１４が配置されている。このファスナー１４は、側壁部１２の上端部１２ｂから高さ方向に沿って下端部１２ａまでと、底部１３の外周部１３ａから中心部１３ｂまでと、に設けられている。
本実施の形態１では、本体部１１を４分割するために、ファスナー１４は底部１３の中心部１３ｂから９０度ごとに配置されている。
【００２６】
側壁部１２の内側面１２ｃには、長尺状のシートである保護用カバー１５が、ファスナー１４に沿って、かつファスナー１４を覆うように設けられている。
この保護用カバー１５は、ファスナー１４の一方側が溶着、縫合、圧着、接着などにより側壁部１２の内側面１２ｃに固定されている。また、保護用カバー１５は、ファスナー１４の他方側が、例えば、面ファスナーにより側壁部１２の内側面１２ｃに脱着自在に接続されている。保護用カバー１５は側壁部１２の同じシート部材により形成することができる。
【００２７】
側壁部１２には、給水口１６が上部１２ｄの２ヵ所に貫通した状態で配置されている。この２つの給水口１６は、側壁部１２の内側面に沿って水流が一方向に流れるように、給水口１６の開口部１６ａが内側面に沿うように同じ方向を向いている。
給水口１６には、本体部１１内に養殖水を供給する給水手段であるポンプ１７が接続されている。
【００２８】
底部１３は、第１排出口１３ｍが中心部１３ｂに形成されていると共に、第１排出口１３ｍの周囲に、残餌を排出するための、第１排出口１３ｍより穴径が小さい第２排出口１３ｎが４つ形成されている。第１排出口１３ｍには、底部１３の下方を外周部１３ａに向って延びた後、海上まで延びるホース１８が接続されている。第１排出口１３ｍには、斃死魚も含め飼育した魚類が排出されないように、メッシュなどのよるフィルタが設けられている。
【００２９】
本実施の形態１では、養殖水を給水するためのポンプ１７および本体部１１に養殖水を吐出する給水口と、養殖水を本体部１１から排水する第１排出口１３ｍおよび第１排出口１３ｍに接続されたホース１８とより、軟質シートの張力を調整する張力調整手段の一例である内圧調整手段が構成されている。
【００３０】
以上のように構成された本発明の実施の形態１に係る生簀１の使用状態を図面に基づいて説明する。なお、魚類をマグロの稚魚として説明する。
ファスナー１４により分割された状態の生簀１は、陸上または海洋にて、分割された状態から、それぞれが連結されることで、簡単に有底円筒形の生簀１とすることができる。また、分割された状態の生簀１は、一つ一つを小さくすることができるため、運搬や収納が容易である。
【００３１】
生簀１は海洋に配置される。海洋での生簀１には、魚類が回遊する本体部１１内には、ポンプ１７により海水、または海水と同等の塩水が、養殖水として、給水口１６を通じて供給される。
側壁部１２および底部１３は非透水性を有する軟質シートからなり、小さい穴である第２排出口１３ｎが開いていたとしても排水量は小さいため、生簀１内に養殖水が貯留される。
【００３２】
生簀１は、養殖水が貯留されることによってほぼ満水の状態となる。そのため、養殖水の自重により側壁部１２および底部１３は張られた状態となる。また、養殖水が貯留された生簀１は、軟質シートにより形成されているため、全体の重量のほとんどが養殖水である。従って、少しの浮力で生簀１が浮くため、生簀１を図示しない生簀枠に係留することによって、海洋に浮上させた状態で繋ぎ止めておくことができる。この生簀１にフロートを設けてもよい。
【００３３】
更に、ポンプ１７により養殖水を本体部１１内に供給することで、側壁部１２および底部１３に対して内側から圧力が掛かるため、波や風などによる側壁部１２および底部１３の変形を抑止することができるので、本体部１１の保型性を向上させることができる。ポンプ１７から供給された養殖水は、第２排出口１３ｎから一部が排水されるが、そのほとんどが第２排出口１３ｎより大径に形成された第１排出口１３ｍより排水される。第１排出口１３ｍに接続されたホース１８が海上まで延びているため、大気圧との関係から、ホース１８を昇る排水が押し戻されるので、排水が抑制される。
このとき、ポンプ１７による養殖水の供給量をホース１８からの養殖水の排水量より多くすれば、本体部１１の内圧を高めることができる。本体部１１の内圧が高まれば、ポンプ１７による養殖水の供給量をホース１８からの養殖水の排水量と同じにする。そうすれば、本体部１１の内圧を維持することができる。
【００３４】
従って、ポンプ１７の出力を調整して、ポンプ１７からの養殖水の供給量を調整したり、ホース１８により本体部１１からの養殖水の排水量を調整したりすることで、側壁部１２および底部１３に対して一定の圧力が保たれ、養殖水が入っていなければ不定形な生簀１を一定の形状に維持させることができる。
【００３５】
生簀１が変形すると、稚魚にストレスを与えたり、急に遊泳方向が変化して他の稚魚に衝突したりして、稚魚に損傷を与えるおそれがある。しかし、生簀１は、不定形でありながらも、ポンプ１７により充満した養殖水による適度な内圧により、一定の形状が維持できるので、本体部１１の変形に起因する稚魚へのストレスが軽減でき、衝突を回避することができる。
【００３６】
また、稚魚が側壁部１２や底部１３に衝突したとしても、側壁部１２および底部１３が軟質シートにより形成され、保型のための枠体などを使用していないので、本体部１１によって衝撃が吸収される。従って、マグロの稚魚の損傷を最小限に抑えることできる。
【００３７】
ポンプ１７から供給された養殖水は、側壁部１２の内側面に沿った方向へ向いた給水口１６により、側壁部１２の内側面に沿って水流が一方向に流れる。マグロの稚魚は、この水流に逆らう方向に一緒に遊泳する。従って、マグロの稚魚が遊泳しながら他のマグロの稚魚に衝突したり、側壁部１２に衝突したりすることを回避することができる。特に、本実施の形態１では側壁部１２が円筒形状であるため、マグロの稚魚は、側壁部１２の内周面に沿って円を描くように遊泳することができる。従って、障害が無い状態で遊泳することができる。また、側壁部１２の内周面に沿って一方向に水流が発生するため、マグロの稚魚も滞り無く水流に従ってスムーズに遊泳することができる。
【００３８】
マグロの稚魚を養殖するために餌が付与され、残餌が沈降するが、底部１３の中央部１３ｃに形成された第１排出口１３ｍおよび第２排出口１３ｎから生簀１の外部に排出することができる。本実施の形態１では、底部１３が円形状に形成されているため、外周部１３ａより中央部１３ｃの方が沈み込んだ状態となる。残餌はこの底部１３に沿って流され、中央部１３ｃに集約される。また、第１排出口１３ｍおよび第２排出口１３ｎから養殖水が排出される。従って、底部１３の中央部１３ｃに形成された第１排出口１３ｍおよび第２排出口１３ｎから、養殖水が排出されると共に、集約された残餌が排出されるため、効率よく残餌を排出することができる。
【００３９】
生簀１は、ファスナー１４により連結されて分割可能であるが、ファスナー１４は保護用カバー１５により覆われているため、稚魚がファスナー１４に引っ掛かり、傷ついてしまうことを防止することができる。
【００４０】
本体部１１内の魚類は、側壁部１２と底部１３とに囲まれているため、ゴミが本体部１１内へ侵入しないので、本体部１１内の魚類がこのゴミを誤って誤飲することを予防することができる。
また、本体部１１は、非透水性を有する軟質シートから形成されているため、外界から遮断された状態で魚類を養殖できるので、適宜、ポンプ１７にフィルタを設置したり、殺菌灯を設置したりすることで、赤潮や病原菌の本体部１１内への侵入を遮断できる。また、生簀１に外部から、本体部１１内の魚類の餌となる小魚が侵入しないので、本体部１１内の魚類が空腹時に本体部１１に侵入した小魚を追いかけることにより、本体部１１内の魚類同士が衝突死してしまうことが予防できる。
更に、本体部１１が不透明なシートにより形成されていることで、マグロの稚魚が、生簀１の外側を遊泳する魚影に怯えてしまうことを防止することができる。
【００４１】
なお、本実施の形態１では、側壁部１２だけでなく底部１３も非透水性を有するシートにより形成されているが、底部１３は、ポンプ１７による内圧を確保することができれば、透水性のシートを使用してもよい。
【００４２】
本実施の形態１では、第１排出口１３ｍが底部１３の中心部１３ｂに位置しているが、底部１３の中心部１３ｂからずれた位置にあっても、側壁部１２にあってもよい。また、第１排出部１３ｍからホース１８により本体部１１内の内圧を調整しているが、ホース１８から排出される養殖水の排水量を調整することで圧力を調整する調整弁をホース１８に配置することで、本体部１１内の内圧を調整してもよい。
【００４３】
（実施の形態２）
本発明の実施の形態２に係る生簀を図面に基づいて説明する。なお、図２においては、図１と同じ構成のものは同符号を付して説明を省略する。
本実施の形態２に係る生簀１ｘは、第１排出口１３ｍに、内圧調整手段として、異径ソケット１９が配置されている。この異径ソケット１９は、第１異径ソケット１９ａと第２異径ソケット１９ｂとを連結して、軟質シートの張力を調整する張力調整手段の一例である内圧調整手段として機能させたものである。
【００４４】
第１異径ソケット１９ａは、第１排出口１３ｍに取り付けられる一側が、反対側の他側より大きい直径に形成されている。
第１異径ソケット１９ａは、その一側の内径が第１排出口１３ｍの外径と同じ、または、第１異径ソケット１９ａの一側の外径が、第１排出口１３ｍの内径と同じに形成されている。これにより、第１異径ソケット１９ａは、第１排出口１３ｍにねじ込まれている。
【００４５】
第２異径ソケット１９ｂは、第１異径ソケット１９ａに取り付けられる一側が、反対側の他側より大きい直径に形成されている。
第２異径ソケット１９ｂは、その一側の内径が、第１異径ソケット１９ａの他側の外径と同じ、または、第２異径ソケット１９ｂの一側の外径が、第１異径ソケット１９ａの他側の内径と同じに形成されている。これにより、第２異径ソケット１９ｂは、第１異径ソケット１９ａにねじ込まれている。
【００４６】
このように、異径ソケット１９が、口径の大きい第１排出口１３ｍを、最終的に口径の小さい第２異径ソケット１９ｂの他側の口径に変更する変換部材であるため、ポンプ１７からの養殖水の供給量に応じて内圧を容易に調整することができる。
本実施の形態２では、異径ソケット１９を２個接続したものしたが、最初から排出口の直径が判別できていれば、第１排出口１３ｍの口径から、第２異径ソケット１９ｂの他側の口径に変更する異径ソケットを用いてもよい。また、内圧を微調整しながら決定する場合には、異径ソケットを３個以上連結したものとしてもよい。
【００４７】
なお、本実施の形態２では、排出口の口径を小さい口径に変換する異径ソケット１９を内圧調整手段としていたが、第１排出口１３ｍに排水量を調整することで調整弁を設け、調整弁の開度に応じて本体部１１の内圧を調整するようにしてもよい。
【００４８】
本実施の形態１，２では、生簀１，１ｘの側壁部１２が円筒形であり、底部１３が円形状に形成されているが、側壁部は上方から見たときに多角形状としても、異型状としてもよい。しかし、マグロのような遊泳する魚類は、側壁部１２を円筒形とすることで、側壁部１２に沿ってスムーズに遊泳することができるため、側壁部１２は円筒形が望ましい。また、遊泳する魚類がスムーズに遊泳できることが望ましいので、側壁部１２は逆円錐形状とすることも可能である。
【００４９】
また、本実施の形態１，２では、側壁部１２および底部１３が形成されるシートの両方が、非透水性であったが、ポンプ１７による供給量、または第１排出口１３ｍによる排出量により本体部１１の内圧を調整することで、側壁部１２または底部１３のいずれか一方、または両方が透水性を有していてもよい。しかし、透水性シートでは、養殖水が供給されても、養殖水が透水性シートから外部へ流出するため、ポンプ１７による供給量が増加してしまうため、非透水性シートするのがよい。
なお、例えば、側壁部１２または底部１３のいずれか一方、または両方が透水性を有しており、この透水性シートから外部への養殖水の流出量を把握し、ポンプ１７などによる給水量を管理すれば、第１排出口１３ｍを省略することができる。
【００５０】
また、分割手段であるファスナー１４は本体部１１が分割できれば、分割された本体部１１のそれぞれをフックやベルトなどで接続するようにしてもよい。
【００５１】
更に、本実施の形態１，２では、内圧調整手段を、本体部１１への養殖水の供給量と、本体部１１からの養殖水の排水量とにより内圧を調整して、張力調整手段として機能させているが、側壁部の深さ方向の長さを調整する長さ調整手段を張力調整手段として機能させてもよい。
例えば、側壁部に、ファスナーなどによる分割手段を設け、上下に分かれた側壁部の間に、長さ調整手段として、円筒形状の側壁部材を追加する。そうすることで、側壁部材を追加した分、側壁部の深さ方向の長さが長くなり、全体の重さが重くなるため、自重により側壁部をより張った状態とすることができる。従って、追加する側壁部材の深さ方向の長さを調整することで、張力を調整することができる。
【産業上の利用可能性】
【００５２】
本発明は、海洋や湖、河川などで、様々な魚類を養殖するときに好適である。
【符号の説明】
【００５３】
１，１ｘ  生簀
１１  本体部
１２  側壁部
１２ａ  下端部
１２ｂ  上端部
１２ｃ  内側面
１２ｄ  上部
１３  底部
１３ａ  外周部
１３ｂ  中心部
１３ｃ  中央部
１３ｍ  第１排出口
１３ｎ  第２排出口
１４  ファスナー
１５  保護用カバー
１６  給水口
１６ａ  開口部
１７  ポンプ
１８  ホース
１９  異径ソケット
１９ａ  第１異径ソケット
１９ｂ  第２異径ソケット
【図１】
2017169452.tif 000003
【図２】
2017169452.tif 000004